(57)【要約】      （修正有）【課題】工事対象の特定作業域を、簡便な段取りでほぼ閉鎖状態に囲い、作業が終了すればその作業囲いを折畳んで収納できるようにした折畳み・組立式の作業域囲い装置を提供する。【解決手段】略四角形の頂点に立設される少なくとも４本のパイプ材による柱部材１とこれらの柱部材をその上部において連結する梁部材２とを備えて組立て折畳み自在又は組立て分解自在にしたフレーム部Ｆと、組立てられた前記フレーム部に着脱可能に被覆されるように形成したシート材Ｓによる被覆シート部Ｃとを備える。使用に当たっては、前記フレーム部と被覆シート部を折畳み又は分解状態で作業場所に運び込み、作業対象を内部に位置付けて組立て、組立てた当該フレーム部にそのフレーム部を全部覆うように前記被覆シート部のシート材を着装し、この被覆シートの内部で前記作業対象に工事を施す。【選択図】図１
0003181747.tif 000002
【実用新案登録請求の範囲】
【請求項１】
略四角形の頂点に立設される少なくとも４本のパイプ材による柱部材とこれらの柱部材をその上部において連結する梁部材とを備えて組立て折畳み自在又は組立て分解自在にしたフレーム部と、組立てられた前記フレーム部に着脱可能に被覆されるように形成したシート材による被覆シート部とを備え、前記フレーム部と被覆シート部を折畳み又は分解状態で作業場所に運び込み、作業対象を内部に位置付けて組立て、組立てた当該フレーム部にそのフレーム部を全部覆うように前記被覆シート部のシート材を着装し、この被覆シートの内部で前記作業対象に工事を施すようにしたことを特徴とする折畳み式作業域囲い装置。
【請求項２】
柱部材と梁部材は、パイプ材の三方継手により分解可能な連結構造にした請求項１に記載の作業域囲い装置。
【請求項３】
２本の柱部材と１本の梁部材を、予め略逆Ｕ状をなす一体のフレーム材に形成しておき、このフレーム材の２つを、互の柱部材同士を交叉させた形で枢着して折畳み式のフレーム部とした請求項１に記載の作業域囲い装置。
【請求項４】
シート材による被覆シート部は、内面に前記フレーム部のパイプ材に結合するための環状又は帯状の係止部を備えた請求項１〜３のいずれかに記載の作業域囲い装置。
【請求項５】
被覆シート部には、ラインファスナ又は面ファスナによって開閉できる出入口が形成されている請求項４に記載の作業域囲い装置。
【請求項６】
ファスナは、被覆シート部のシート面に平行に複数本設け、前記ファスナがラインファスナの場合には各ファスナのスライダは２個を備えた請求項５に記載の作業域囲い装置。
【請求項７】
被覆シート部のシート材の内面には、ポケット状の物入れ部、或は、備品等の保管部を形成した請求項５又は６に記載の作業域囲い装置。
【考案の詳細な説明】
【技術分野】
【０００１】
本考案は原子力発電所などの原子力施設における特定作業域や作業場所において、そこで発生している汚染を周囲に拡散させないようにした折畳み式の作業域囲い装置に関する。
【背景技術】
【０００２】
従来から原子力発電所などの原子力施設では、放射線による汚染度合をランク付けし、例えば汚染ランクの高い区域や場所において、配管作業などの作業を施工する場合には、当該作業場所を囲むように単管による仮設足場を組立て、当該足場で囲まれた範囲を養生シートなどのカバー材で覆い、工事すべき配管をカバー材で覆われた内部に位置させるため、カバー材の一部に開閉部を設けたり穴を明けたりして前記配管を内部に置き当該配管に対する工事を養生シートなどのカバー材による囲いの中で施工していた。
【０００３】
しかし、上記のような仮設足場の組立て作業、カバー材である養生シートでの被覆作業を経てその内部に作業者が入って工事を行い、工事が終われば前記シートを取外して足場を解体，撤去しなければならないが、このような段取り作業や撤収作業は、本体工事の手間に比べると、組立てや撤去に要する労力や時間が多大になって工業全体をきわめてコスト高なものとする大きな要因となっていた。
【０００４】
この点を改善するために従来提案されている技術は、鋼管で人が入れる直方体状のフレームを組立て、その外側をシートで覆うタイプの作業スペースを形成することが知られているが、作業の度にフレームを組立ててシートで覆う作業は、上記の仮設足場方式と段取りや撤収に多大な手間，時間を要する点で、大差はない。一方で、配管等の工事すべき部位のみをカバーで覆ってしまい、作業者はそのカバーの外側から作業をする形態の作業域囲い装置の提案もあるが、囲い装置内と作業対象部位のインターフェースが未だ良好でないため、使い勝手において汎用性に欠ける憾がある。
【先行技術文献】
【特許文献】
【０００５】
【特許文献１】特許第４０７８２７４号公報
【特許文献２】特開平６−３００８９０号公報
【特許文献３】実開昭６４−４８７００号公報
【特許文献４】実開昭５７−２４６００号公報
【考案の概要】
【考案が解決しようとする課題】
【０００６】
そこで本考案では、上記のような汚染の拡散を防ぎながら作業を遂行しなければならない作業域に対し、作業員が内部に入って作業でき、しかも組立・折畳み自在方式の囲い装置を形成し、工事対象の配管等が存在する特定作業域を、その配管等も含み至って簡便な段取り作業でほぼ閉鎖状態に囲ってしまい、その囲いの中で所定作業を行い、作業が終了すればその作業囲いを折畳んで収納できるようにした折畳み・組立式の作業域囲い装置を提供することを、課題とする。
【課題を解決するための手段】
【０００７】
上記課題を解決することを目的としてなされた本考案囲い装置の構成は、略四角形の頂点に立設される少なくとも４本のパイプ材による柱部材とこれらの柱部材をその上部において連結する梁部材とを備えて組立て折畳み自在又は組立て分解自在にしたフレーム部と、組立てられた前記フレーム部に着脱可能に被覆されるように形成したシート材による被覆シート部とを備え、前記フレーム部と被覆シート部を折畳み又は分解状態で作業場所に運び込み、作業対象を内部に位置付けて組立て、組立てた当該フレーム部にそのフレーム部を全部覆うように前記被覆シート部のシート材を着装し、この被覆シートの内部で前記作業対象に工事を施すようにしたことを特徴とするものである。
【０００８】
本考案では上記構成において、柱部材と梁部材は、パイプ材の三方継手により分解可能に連結する構造であることが望ましい。
一方、２本の柱部材と１本の梁部材を、予め略逆Ｕ状をなす一体のフレーム材に形成しておき、この略逆Ｕ状フレーム材の２つを、互の柱部材同士を交叉させた形で枢着して折畳み式のフレーム部とすることができる。パイプ材は、角パイプ，丸パイプのいずれであってもよい。
【０００９】
本考案において、シート材による被覆シート部は、内面に前記フレーム部のパイプ材に結合するための環状又は帯状の係止部を備えたものであることが望ましい。環状又は帯状の係止部は、一例として面ファスナ，ホック，ボタンなどの係止具によって係止部がパイプ材を開閉自在に抱持する形態のものである。
【００１０】
また、前記被覆シート部の各面のシート材には、ラインファスナや面ファスナなどによって開閉できるようにした出入口が形成されている。この出入口は作業員用の出入口と、配管などの作業対象を内部に位置付けるための出入口である。
【００１１】
さらに、被覆シート部のシート材の内面には、ポケット状の物入れ部、或は、備品等の保管部を形成しておくと作業時に着脱する備品や部品などを一時的に入れておく場所として便利である。
【００１２】
加えて、フレーム部と被覆シート部は、一緒にまとめて紐又はテープ状の結束材で結束するか、又は、袋またはケースに収納するようにしておくと、本考案囲い装置の運搬，保管に便利である。
【考案の効果】
【００１３】
本考案は、略四角形の頂点に立設される少なくとも４本のパイプ材による柱部材とこれらの柱部材をその上部において連結する梁部材とを備えて組立て折畳み自在又は組立て分解自在にしたフレーム部と、組立てられた前記フレーム部に着脱可能に被覆されるように形成したシート材による被覆シート部とから成り、前記フレーム部と被覆シート部を折畳み又は分解状態で作業場所に運び込み、作業対象を内部に位置付けて組立て、組立てた当該フレーム部にそのフレーム部を全部覆うように前記被覆シート部のシート材を着装し、この被覆シートの内部で前記作業対象に工事を施すようにして、汚染を周囲に拡散させない機能を有する作業域、或は、作業場所（箇所）の囲い装置を形成したから、従来の作業域を囲むように仮設足場を組立て、その足場による囲いの上から養生シートを被覆するようにした閉鎮作業空間における汚染域での作業形態を、汚染の拡散防止機能を保持したまま格段に簡素化することができるという効果が得られる。
【図面の簡単な説明】
【００１４】
【図１】本考案囲い装置の一例の概要を説明するための斜視図。
【図２】本考案囲い装置の他の例の概要を説明するための斜視図。
【考案を実施するための形態】
【００１５】
次に、本考案の実施の形態側について、図を参照して説明する。
図１において、１は４本のパイプ材（金属製又はプラスチック製若しくはこれらの複合材製など）による柱部材で、図の例では平面視四角形の頂点に立設配置される。
【００１６】
２は前記柱部材１の上端部間に架設した梁部材で、この梁部材２も前記パイプ材と同じものを用いることが望ましいが、必ずしも同一パイプ材でなくてもよい。パイプ材は、断面が丸形、多角形のいずれであってもよい。
【００１７】
上記柱部材１と梁部材２は、図１の例では、Ｘ，Ｙ，Ｚの３軸方向を向いた三方継手３を用いて結合し、図１の形態のフレーム部Ｆに組立てられる。このフレーム部Ｆにおいて、用いる柱部材１は４本に限られるものではなく、例えば図示しないが、図１の長手梁部材２の中間部に中間柱部材を立設することもできる。中間柱部材と梁部材２の結合には、Ｔ状継手を用いる。
【００１８】
上記のようにして組立てられるフレーム部Ｆに対し、本考案では、シート材Ｓを図１に１点鎖線で示した輪郭形状に形成した被覆シート部Ｃが被せられる。すなわち、織布，不織布，フィルム地，シート地などによる柔軟なシート材Ｓは、上記フレーム部Ｆにおける天井壁，前後壁，左右側壁の形状に合せて裁断し、これら各壁のシート材Ｓを、フレーム部Ｆがなす立体形状となるように縫着や溶着などによって結合することにより被覆シート部Ｃの基本形態に形成されている。
【００１９】
上記被覆シート部Ｃにおいて、図１の例では、内面の各柱部材１梁部材２に対応する部位（例えば、各シート材の縫合（溶着）部）に、柱部材１と梁部材２に抱持態様で結合する開閉自在の環状係止部４が設けられている。この係止部４の開閉には、図示しないが面ファスナやスナップボタンを用いるとよい。
【００２０】
また、被覆シート部Ｃの各壁には、ラインファスナ５が設けられ、シート材Ｓに囲まれたフレーム部Ｆの内部への出入口が形成されている。この出入口は、作業員の出入口として機能すると共に、建屋の壁面から突出している配管などの作業対象部位をこの囲い内に入れるための出入口としても機能する。このためラインファスナ５はスライダ（図示せず）を２個持ったものを使用することが望ましい。スライダが２個あると、そのスライダの位置でラインファスナ５の上での開口部を任意に調整できるからである。
【００２１】
このようにファスナ５による出入口は、人の出入口であるとともに作業部位の出入口でもあるから、本考案ではすべての壁面に設ける。この意味で図１では天井壁にラインファスナ５による出入口は図示されていないが、本考案では天井壁にもファスナ５を設けることがある。また、図示したファスナ５は、立壁面に垂直向きに設けたが、ファスナ５の向きは斜めや水平向きであってもよい。さらにラインファスナ５に各壁面に、複数本を平行に設けるとよい。様々な高さや左右方向での位置に来る可能性がある対象部位をこの囲いの中に取込むためである。
【００２２】
上記の被覆シート部Ｃにおいて、シート材Ｓの内面には、図１に例示するように、布地やネット地などによるポケット状の物入れ部６や備品の保管部７が設けられている。
【００２３】
本考案囲い装置において、配管等の工事対象を囲み内に取込む部位の壁面は、例えばシート材Ｓを二重に配設して一方のシート材Ｓには複数本のラインファスナ５を縦向きに平行に設け、他方のシート材には複数本のラインファスナ５を横向きに平行に設けるといった形態にすることができる。これは汚染の拡散防止作用を確保するためである。この場合の二重のシート材Ｓは、たるませて設けておくと、工事対象の取込みにゆとりができる。このようにして出入口を形成すると、工事対象を囲み内に取込む際、取込みたい対象が区々の位置にあっても、いずれかのファスナ５の開閉で対応できると共に、汚染の拡散防止を図りながら様々な態様の対象を囲み内に取り込むことができる。
【００２４】
以上の説明において、被覆シート部Ｃは、フレーム部Ｆに外から被せる形態でフレーム部Ｆに架装したが、当該シート部Ｃはフレーム部Ｆの内側に梁部材２や柱部材１に吊下げ形態で支持させるようにしてもよい。この場合においては、被覆シート部Ｃの外面に係止具４が設けられることになる。
【００２５】
図１に拠り説明した本考案囲い装置は、図２のようなフレーム部Ｆの構成によっても実施できるので、以下に説明する。
【００２６】
図２の本考案囲い装置の他の例は、平行に並べた２本の柱部材１の上端部を梁部材２で結合した形の略逆Ｕ状のフレーム材ｆの２つを、夫々の平行な柱部材１，１同士を交叉させて配置すると共に、２つのフレーム材ｆにおいて交叉した柱部材１、１同士の中間部の交点を、梁部材２と平行な軸２１で枢着することにより、図２に示した組立て状態と、各柱部材１が略平行姿勢で重なるように前記軸２１において折畳んだ状態とを採ることができるようにしたフレーム部Ｆ２を用いたものである。
【００２７】
上記の折畳み自在のフレーム部Ｆ２とすることにより、図１の例に比べて長手方向の梁部材２を省略したものとなるが、このフレーム部Ｆ２に被せる被覆シート部Ｃは、図１の例で説明したものと同じ要領で形成されたもので足りる。従って、図２の本考案囲い装置でも、被覆シート部Ｃに付与される構成は、図１の例における被覆シート部Ｃと、原則、同じである。図２で用いた符号において、図１の符号と同じものは、同一部材を示している。図２の例においても被覆シート部Ｃは、フレーム部Ｆ２の中に吊下する形で取付けることができることは、図１の例の場合と同じである。
【００２８】
以上のように構成される図１，図２に例示した使用状態の本考案囲い装置は、組立てたフレーム部Ｆ，Ｆ２から被覆シート部Ｃを取外して折畳む一方、図１のものは、三方継手３から柱部材１と梁部材２を外してフレーム部Ｆを分解し、図２のものは２つのフレーム材ｆ，ｆを折畳んで、分解又は折畳んだフレーム部Ｆ，Ｆ２と折畳んだ被覆シート部Ｃとを結束紐やバンドなどで結束したり、図示しないが袋やケースに収納することにより、次の使用に備えて保管する。
【００２９】
本考案は以上の通りであるから、原子力発電所などにおいて、例えば高汚染区域において局部的な配管工事などの必要が生じたとき、その工事場所に、本考案囲い装置を持込んで組立て、工事対象を組立てた囲い装置内に取込み、この閉鎖空間において必要な工事を施工できるようにしたから、囲い装置設置の段取り手間を大幅に省力化でき、汚染を拡散させることなく高汚染域で必要な工事を行うことができる。また、工事が終わればあたかもテントを折畳むような簡易な要領で囲い装置の撤収することができるから、この点においても顕著な省力化を図ることができる。
【符号の説明】
【００３０】
Ｆ，Ｆ２  フレーム部
ｆ        フレーム材
１        柱部材
２        梁部材
３        三方継手
２１      軸
Ｃ        被覆シート部
Ｓ        シート材
４        係止具
５        ラインファスナ
６        物入れ部
７        収納部
【図１】
0003181747.tif 000003
【図２】
0003181747.tif 000004